(57)【要約】【課題】一例としては、より不都合が少ない新規な構成のドアロック制御システムを得る。【解決手段】実施形態にかかるドアロック制御システムは、一例として、車両用のドアの窓の上縁部と下縁部との間に亘る側縁部に設けられ、近距離無線通信により信号を受信する受信部と、受信部で受信された信号に含まれた第一のデータと保持された第二のデータとに基づいて、ドアのロックの解錠または施錠の可否を判断する判断部と、を備えた。【選択図】図１
2014062412.tif 000002
【特許請求の範囲】
【請求項１】
車両用のドアの窓の上縁部と下縁部との間に亘る側縁部に設けられ、近距離無線通信により信号を受信する受信部と、
前記受信部で受信された信号に含まれた第一のデータと保持された第二のデータとに基づいて、前記ドアのロックの解錠または施錠の可否を判断する判断部と、
を備えた、ドアロック制御システム。
【請求項２】
前記側縁部は、第一の部材と、当該第一の部材の車室外側を覆い非導電性材料で構成された第二の部材と、を有し、
前記受信部は、前記第一の部材と前記第二の部材との間に設けられた、請求項１に記載のドアロック制御システム。
【請求項３】
前記受信部は、前記第二の部材に取り付けられた、請求項２に記載のドアロック制御システム。
【請求項４】
前記受信部は、アンテナを含み、
前記第一の部材は、導電性材料で構成され、
前記アンテナの前記第一の部材側を覆った磁性部材を備えた、請求項２または３に記載のドアロック制御システム。
【請求項５】
前記受信部は、防水性を有した覆部を有した、請求項２〜４のうちいずれか一つに記載のドアロック制御システム。
【請求項６】
前記第一の部材と前記第二の部材との間で、前記受信部と前記側縁部の車両前後方向の端部との間に隙間が設けられた、請求項２〜５のうちいずれか一つに記載のドアロック制御システム。
【請求項７】
前記受信部は、アンテナと、当該アンテナで受信した信号を処理する回路部と、を含み、
前記側縁部に、前記回路部を起動する電力を生じる起動部を備えた、請求項１〜６のうちいずれか一つに記載のドアロック制御システム。
【請求項８】
前記起動部は、前記第一のデータを含む信号とは異なる信号から電力を得る検波部を含む、請求項７に記載のドアロック制御システム。
【請求項９】
前記起動部は、操作入力に応じて電力を生じる圧電素子を含む、請求項７に記載のドアロック制御システム。
【発明の詳細な説明】
【技術分野】
【０００１】
本発明の実施形態は、ドアロック制御システムに関する。
【背景技術】
【０００２】
従来、ドアロックの解錠または施錠を制御するドアロック制御システムとして、ドアハンドルにアンテナが設けられたものが知られている。
【先行技術文献】
【特許文献】
【０００３】
【特許文献１】特許第３５６２４７６号公報
【発明の概要】
【発明が解決しようとする課題】
【０００４】
ところで、ドアロック制御システムに近距離無線通信を用いた場合、より利便性が高まる可能性があることが想定される。近距離無線通信を利用したドアロック制御システムでは、操作者（使用者）が所持した装置（一例としては携帯電話等）との間で通信が行われやすい場所にアンテナを設置することが好ましい。
【課題を解決するための手段】
【０００５】
本発明の実施形態にかかるドアロック制御システムは、一例として、車両用のドアの窓の上縁部と下縁部との間に亘る側縁部に設けられ、近距離無線通信により信号を受信する受信部と、前記受信部で受信された信号に含まれた第一のデータと保持された第二のデータとに基づいて、前記ドアのロックの解錠または施錠の可否を判断する判断部と、を備えた。よって、一例としては、操作者（使用者）は車室への出入りの際等に第一のデータを送信する装置を受信部に比較的容易に近付けることができる。
【０００６】
また、上記ドアロック制御システムでは、一例として、上記側縁部は、第一の部材と、上記第一の部材の車室外側を覆い非導電性材料で構成された第二の部材と、を有し、上記受信部は、上記第一の部材と上記第二の部材との間に設けられた。よって、一例としては、受信部を側縁部内に隠すことができる。また、一例としては、受信部の車室外側の部材の材質が非導電性材料であるため、受信部での受信に支障が来たされ難い。
【０００７】
また、上記ドアロック制御システムでは、一例として、上記受信部は、上記第二の部材に取り付けられた。よって、一例としては、車室外側の第二の部材の取り付けおよび取り外しに伴って、受信部を比較的容易に取り付けたり取り外したりすることができる。また、一例としては、車両における受信部の有無を、第二の部材の交換によって比較的容易に変更することができる。
【０００８】
また、上記ドアロック制御システムでは、一例として、上記受信部は、アンテナを含み、上記第一の部材は、導電性材料で構成され、上記ドアロック制御システムは、上記アンテナの上記第一の部材側を覆った磁性部材を備えた。よって、一例としては、導電性材料の第一の部材によるアンテナの受信性能の低下が抑制されやすい。
【０００９】
また、上記ドアロック制御システムでは、一例として、上記受信部は、防水性を有した覆部を有した。よって、一例としては、受信部に水分が作用し難い。
【００１０】
また、上記ドアロック制御システムでは、一例として、上記第一の部材と上記第二の部材との間で、上記受信部と上記側縁部の車両前後方向の端部との間に隙間が設けられた。よって、一例としては、水が隙間を通りやすく、受信部に作用し難い。
【００１１】
また、上記ドアロック制御システムでは、一例として、上記受信部は、アンテナと、当該アンテナで受信した信号を処理する回路部と、を含み、上記側縁部に、上記回路部を起動する電力を生じる起動部を備えた。よって、一例としては、起動部によって回路部を起動できる分、バッテリの電力の消費が抑制されやすい。
【００１２】
また、上記ドアロック制御システムでは、一例として、上記起動部は、上記第一のデータを含む信号とは異なる信号から電力を得る検波部を含む。よって、一例としては、回路部を起動する電力をより効率よく得られる場合がある。
【００１３】
また、上記ドアロック制御システムでは、一例として、上記起動部は、操作入力に応じて電力を生じる圧電素子を含む。よって、一例としては、操作者による操作入力によって生じた電力を回路部の起動に用いることができる。
【図面の簡単な説明】
【００１４】
【図１】図１は、実施形態にかかる車両（車体側部構造）の一例の一部の側面図である。
【図２】図２は、図１の構造からドアが取り外された状態が示された側面図である。
【図３】図３は、実施形態にかかる制御システムおよび携帯端末の一例の模式的なブロック図である。
【図４】図４は、図１のIV−IV断面図である。
【図５】図５は、実施形態にかかる制御システムの一例の通信ユニットを含むドアの一部の模式的な縦断面図である。
【図６】図６は、図５のドアおよび通信ユニットの一部の模式的な側面図（車室内側から見た図）であって、通信ユニットの覆部が取り外された状態が示された図である。
【図７】図７は、図５の通信ユニットを含むドアの一部の模式的な横断面図である。
【図８】図８は、第１変形例にかかる通信ユニットの一例のブロック図である。
【図９】図９は、第２変形例にかかる通信ユニットの一例のブロック図である。
【図１０】図１０は、第２変形例にかかる通信ユニットの一例を含むドアの一部の模式的な縦断面図である。
【発明を実施するための形態】
【００１５】
以下の実施形態および変形例には、同様の構成が含まれている。それら同様の構成には共通の符号が付されるとともに、重複する説明が省略される。なお、各図には、説明の便宜上、方向が示されている。ＵＰＲは、車両上下方向の上方（以下、単に上方または上側と記す）を、ＦＲＴは、車両前後方向の前方（以下、単に前方または前側と記す）を、ＯＴＲは、車幅方向の外方（外側、本実施形態では左側）を、示す。また、図１，２，４〜７，１０では、いずれも、車体２（車両１）の左側部の構成が示されているが、本実施形態にかかる構成は、車体２（車両１）の右側部でも同様に実施することができる。
【００１６】
本実施形態では、車両１は、例えば、内燃機関（エンジン、図示されず）を駆動源とする自動車（内燃機関自動車）であってもよいし、電動機（モータ、図示されず）を駆動源とする自動車（電気自動車、燃料電池自動車等）であってもよいし、それらの双方を駆動源とする自動車（ハイブリッド自動車）であってもよい。また、車両１は、種々の変速装置を搭載することができるし、内燃機関や電動機を駆動するのに必要な種々の装置（システム、部品等）を搭載することができる。
【００１７】
本実施形態では、一例として、図１，２に示されるように、車体２は、車室２ａを構成している。また、車体２は、その側部（車幅方向（図１，２の紙面と垂直な方向）の両側）に、部材２Ａ（下側側部部材、ロッカ、サイドシル）や、部材２Ｂ（上側側部部材、ルーフサイドレール）、部材２Ｃ（前側側部部材、フロントピラー、Ａピラー）、部材２Ｄ（中間側部部材、センターピラー、Ｂピラー）、部材２Ｅ（後側側部部材、リヤピラー、Ｃピラー）等を有する。部材２Ａは、フロアパネル（図示されず）の車幅方向端部に位置され、車両前後方向に沿って延びている。部材２Ｂは、ルーフパネル（図示されず）の車幅方向端部に位置され、車両前後方向に沿って延びている。部材２Ｃ，２Ｄ，２Ｅは、部材２Ａと部材２Ｂとの間に亘って上下に延びている。三つの部材２Ｃ，２Ｄ，２Ｅのうち、部材２Ｃは、他の二つの部材２Ｄ，２Ｅより前方に位置する。部材２Ｅは、他の二つの部材２Ｃ，２Ｄより後方に位置する。また、部材２Ｄは、二つの部材２Ｃ，２Ｅの間に位置する。部材２Ａ〜２Ｅは、いずれも中空の閉断面構造を有し、隣接するパネル等より剛性および強度が高い。また、部材２Ａ〜２Ｅの内部または外部には、適宜、補強部材（レインフォース）等が設けられうる。部材２Ａ〜２Ｅは、車体２を支える基本的な骨組みであり、車体２に作用する荷重を受けたり分散したりする骨格部材の一例である。部材２Ａ〜２Ｅは、一例としては、鋼鈑等で構成される。
【００１８】
また、本実施形態では、一例として、図２に示されるように、車体２には、車室２ａを車両側方に開放する二つの開口部３Ａ，３Ｂが設けられている。開口部３Ａ，３Ｂは、車両前後方向に沿って並んでいる。開口部３Ａの周縁部には、部材２Ａ，２Ｂ，２Ｃ，２Ｄが位置されている。開口部３Ｂの周縁部には、部材２Ａ，２Ｂ，２Ｄ，２Ｅが位置されている。開口部３Ａと開口部３Ｂとの間（境界部分）には、部材２Ｄが位置されている。すなわち、二つの開口部３Ａ，３Ｂは、部材２Ｄによって区分されている。乗員や荷物等は、開口部３Ａ，３Ｂを介して車室２ａに出入りすることができる。部材２Ａ〜２Ｅは、開口部３Ａ，３Ｂのフレームの一例である。
【００１９】
また、本実施形態では、一例として、図１に示されるように、車体２には、開口部３Ａ，３Ｂを開閉可能に覆うドア４Ａ，４Ｂ（車両用ドア構造）が含まれている。一例として、ドア４Ａは、開口部３Ａの前方側に設けられたヒンジ（図示されず）を介して、部材２Ｃに、車両上下方向に略沿った回動軸回りに回動可能に、支持されている。また、ドア４Ｂは、開口部３Ｂの前方側に設けられたヒンジ（図示されず）を介して、部材２Ｄに、車両上下方向に略沿った回動軸回りに回動可能に、支持されている。すなわち、ドア４Ａ，４Ｂは、いずれも前後方向に開閉（回動）可能である。
【００２０】
また、本実施形態では、一例として、ドア４Ａ，４Ｂは、ドアアウタ４１（外側部材、壁部、側壁、パネル）や、フレーム４２（枠、周縁部材、囲繞部材）、ウインドウパネル４３（窓ガラス）、ドアインナ（内装部、トリム、図示されず）、アウタハンドル４ａ（ハンドル、ノブ、開閉操作部）、インナハンドル（図示されず）等を有する。ドアアウタ４１は、略四角形状（一例としては、略長方形状）かつ板状に形成される。ドアアウタ４１は、ドア４Ａ，４Ｂの下側部分の外側を覆っている。ドアインナは、ドアアウタ４１の車室内側に設けられている。フレーム４２は、ドアアウタ４１およびトリムの上方に位置されている。フレーム４２は、縁部４２ａ（前縁部、側縁部）、縁部４２ｂ（上縁部）、および縁部４２ｃ（後縁部、側縁部）を有する。ドア４Ａ，４Ｂでは、それぞれ、フレーム４２とドアアウタ４１およびドアインナの上側の縁部４２ｄ（端部）とによって、窓４２ｅ（開口部）が構成されている。縁部４２ｄは、窓４２ｅの下縁部の一例である。窓４２ｅは、透明な板状のウインドウパネル４３により、開閉可能に覆われる（塞がれる）。ウインドウパネル４３は、ドアアウタ４１とドアインナとの間に設けられた昇降装置（レギュレータ、図示されず）によって上下方向に動かされる。ウインドウパネル４３は、窓４２ｅを塞ぐ上側の位置と、ドアアウタ４１とトリムとの間の下側の位置との間で、移動可能に構成されている。
【００２１】
また、本実施形態では、一例として、車両１は、図３に示されるように、ドアロック装置５３を有する。ドアロック装置５３は、ドア４Ａ，４Ｂのそれぞれに設けられる。ドアロック装置５３は、一例としては、電磁力により、可動部（図示されず）を施錠位置（ロック位置）と解錠位置（アンロック位置）との間で動かす。可動部が施錠位置にある状態（施錠状態）では、ドア４Ａ，４Ｂは、開口部３Ａ，３Ｂを閉じた（塞いだ）状態でロックされ、操作者のアウタハンドル４ａやインナハンドル（図示されず）の操作によっては開閉することができない。また、可動部が解錠位置にある状態（解錠状態）では、ドア４Ａ，４Ｂは、ロックされず、操作者のアウタハンドル４ａやインナハンドルの操作に応じて開閉されうる。なお、ドア４Ａ，４Ｂ毎に設置される複数のドアロック装置５３は、通常は、どれも同じ状態（ステータス、施錠状態または解錠状態）に制御されるが、これには限定されない。例えば、複数のドアロック装置５３の状態が、車幅方向右側や、左側、車両前後方向後側でそれぞれ異なる等、領域（場所）毎に異なる状態であってもよい。
【００２２】
また、本実施形態では、一例として、図３に示される車両１のドア４Ａ，４Ｂのロックに関わる制御システム５は、機械的な鍵を用いない電子キーシステム（キーレスエントリーシステム）として構成されている。具体的には、制御システム５は、操作者が所持する通信可能な装置６（通信装置、例えば、携帯電話機、スマートフォン、非接触ＩＣカード、ＲＦ−ＩＤタグ等）と通信し、装置６から取得された第一のデータ（例えば、装置６の識別コード等）と、制御システム５に保持されていた第二のデータ（例えば、予め登録されていた装置６の識別コード等）とを、照合（比較）する。制御システム５は、照合（比較）の結果、第一のデータと第二のデータとが対応（例えば、一致）した場合に、ドアロック装置５３を制御して可動部を動かし、ドアロックの状態（施錠状態または解錠状態）を切り替える。なお、施錠状態と解錠状態との切り替えは、交互に行われる。すなわち、施錠状態で制御システム５と装置６との間で通信が行われ、照合の結果、第一のデータと第二のデータとが対応した場合には、制御システム５はドアロック装置５３を解錠状態に切り替える。一方、解錠状態で制御システム５と装置６との間で通信が行われ、照合の結果、第一のデータと第二のデータとが対応した場合には、制御システム５はドアロック装置５３を施錠状態に切り替える。本実施形態では、制御システム５は、ドアロック制御システムの一例である。
【００２３】
また、本実施形態では、一例として、制御システム５と装置６との通信は、近距離無線通信方式（非接触通信方式、ＮＦＣ，near field communication）で行われる。本実施形態にかかる制御システム５および装置６で採用可能な近距離無線通信方式としては、例えば、ISO/IEC 18092、FeliCa（登録商標）、ISO/IEC 14443（MIFARE（登録商標））、等がある。制御システム５と装置６との通信は、アンテナ５１ｂとアンテナ６１ｂとで行われる。本実施形態では、アンテナ５１ｂとアンテナ６１ｂとが近い距離（例えば、数センチメートル以内）に位置された場合に、制御システム５と装置６との通信が行われる。すなわち、操作者が、所持した装置６の通信部６１（のアンテナ６１ｂ）を、制御システム５の通信ユニット５１（のアンテナ５１ｂ）に翳した（重ねた、近付けた、対向させた）場合に、制御システム５と装置６との通信が行われる。
【００２４】
そして、本実施形態では、一例として、図１に示されるように、アンテナ５１ｂを含む通信ユニット５１が、二つのドア４Ａ，４Ｂのうち前方側に位置するドア４Ａのフレーム４２の縁部４２ｃ（後縁部、側縁部）に設けられている。この縁部４２ｃは、二つの開口部３Ａ，３Ｂの間の境界部分（部材２Ｄ）の車室外側に位置している。よって、本実施形態によれば、一例としては、ドア４Ａを開けて開口部３Ａを介して車室２ａに入る場合、ならびにドア４Ｂを開けて開口部３Ｂを介して車室２ａに入る場合の双方について、操作者から通信ユニット５１のアンテナ５１ｂの位置が比較的近い。よって、一例としては、操作者は、所持した装置６のアンテナ６１ｂを通信ユニット５１のアンテナ５１ｂにより容易にあるいはより迅速に近付けることができる。また、本実施形態では、一例として、アンテナ５１ｂを含む通信ユニット５１は、ドア４Ａの縁部４２ｃの長手方向（上下方向）の上側の端部４２ｃ１よりも下側の端部４２ｃ２に近い位置に設けられている。よって、一例としては、アンテナ５１ｂが、長手方向の上側の端部に位置された場合に比べて、装置６のアンテナ６１ｂを通信ユニット５１のアンテナ５１ｂにより容易にあるいはより迅速に近付けることができる。なお、アンテナ５１ｂは、二つのドア４Ａ，４Ｂのうち後方側に位置するドア４Ｂのフレーム４２の縁部４２ａ（前縁部、側縁部）に設けられうる。この場合も、アンテナ５１ｂがドア４Ａの縁部４２ｃに設けられた場合と同様の結果（効果）が得られる。また、通信ユニット５１は、アウタハンドル４ａより上側に位置している。
【００２５】
また、本実施形態では、一例として、図３に示されるように、制御システム５は、通信ユニット５１（通信部、通信ユニット、無線通信部）や、制御部５２、ドアロック装置５３、始動装置５４、操作部５５等を含む。通信ユニット５１（リーダライタ）は、回路部５１ａや、アンテナ５１ｂ（例えば、アンテナコイル）等を含む。通信ユニット５１は、装置６の通信部６１との電磁誘導により、当該通信部６１との間で信号（電波）を送受信する。通信ユニット５１は、受信部の一例である。回路部５１ａは、送信信号の変調や、受信信号の復調、増幅等を実行する。アンテナ５１ｂは、一例としては、線状の導体が複数回巻かれたアンテナコイル（ループアンテナ）である。アンテナ５１ｂは、コンデンサ（図示されず）とともに、直列共振回路を構成している。
【００２６】
また、本実施形態では、一例として、制御部５２は、通信ユニット制御部５２ａ（通信ユニットＥＣＵ（electronic control unit））や、データ照合制御部５２ｂ（データ照合ＥＣＵ）、データ保持部５２ｃ（記憶部）等を含む。通信ユニット制御部５２ａは、通信ユニット５１を制御する。通信ユニット５１は、通信ユニット制御部５２ａに制御されて、駆動信号を送信する。駆動信号に対応した装置６からの応答信号が通信ユニット５１で受信されると、通信ユニット制御部５２ａは、当該応答信号に含まれる第一のデータ（例えば、識別コード）をデータ照合制御部５２ｂに送る。データ保持部５２ｃは、不揮発性の記憶部であり、例えば、フラッシュメモリや、ＮＶＲＡＭ（non volatile random access memory）等である。データ保持部５２ｃは、事前に登録された第二のデータ（例えば識別コード）を保持（記憶）する。データ照合制御部５２ｂは、データ保持部５２ｃに保持された第二のデータ（例えば、識別コード）と装置６からの第一のデータとを照合（比較し）、第一のデータが第二のデータに対応しているか否かを判断する。そして、データ照合制御部５２ｂは、第一のデータと第二のデータとが対応していた場合（例えば、一致していた場合）には、ドアロックの状態（施錠状態または解錠状態）が変化するよう、ドアロック装置５３を制御する。一方、データ照合制御部５２ｂでの照合（比較）で第一のデータと第二のデータとが対応していなかった場合（例えば、一致していなかった場合）には、ドアロックの状態（施錠状態または解錠状態）が変化しないようにする。すなわち、データ照合制御部５２ｂは、第一のデータと第二のデータとに基づいて、ドア４Ａ，４Ｂのロックの解錠または施錠の可否を判断する判断部の一例である。さらに、データ照合制御部５２ｂは、操作部５５（例えば、つまみや、スイッチ、押しボタン等）での操作入力に応じて車両用駆動装置（例えば、エンジンやモータ等）の始動を実行するまたは動作可能な状態とするよう、始動装置５４を制御する。すなわち、制御システム５は、イモビライザーシステムの一例でもある。
【００２７】
また、本実施形態では、一例として、装置６は、携帯電話機やスマートフォンとして構成されうる。装置６は、通信部６１（無線通信部、第一の通信部）や、制御部６２、無線通信部６３（通信部、第二の通信部）、アンテナ６４等を含む。通信部６１（リーダライタ）は、回路部６１ａや、アンテナ６１ｂ（例えば、アンテナコイル）、データ保持部６１ｃ等を含む。通信部６１は、制御システム５の通信ユニット５１との電磁誘導により、当該通信ユニット５１との間で信号（電波）を送受信する。回路部６１ａは、送信信号の変調や、受信信号の復調、増幅等を実行する。アンテナ６１ｂは、一例としては、線状の導体が複数回巻かれたアンテナコイル（ループアンテナ）である。アンテナ６１ｂは、コンデンサ（図示されず）とともに、直列共振回路を構成している。また、データ保持部６１ｃは、不揮発性の記憶部であり、例えば、ＲＯＭ（read only memory）や、フラッシュメモリ、ＮＶＲＡＭ（non volatile random access memory）等である。データ保持部６１ｃは、事前に登録された第一のデータ（例えば識別コード）を保持（記憶）する。通信部６１は、通信ユニット５１から駆動信号を受信すると起動し、第一のデータを含む応答信号を送信する。制御部６２は、無線通信部６３等の装置６の各部を制御して、通話やデータ通信等のアンテナ６４を介した無線による通信（送受信）を実行する。
【００２８】
また、本実施形態では、一例として、図４に示されるように、ドア４Ａの縁部４２ｃおよびドア４Ｂの縁部４２ａは、車室内側の部材４４（内側部材、第一の部材、ベース、インナ）と、車室外側の部材４５（外側部材、第二の部材、ドア部材、ガーニッシュ、カバー、アウタ）と、を有する。部材４４は、導電性材料（金属材料、例えば鋼板）で構成され、部材４５は、非導電性材料（絶縁材料、合成樹脂材料、プラスチック、エンジニアリングプラスチック）で構成されている。部材４４と部材４５とは、一例としては、両面テープ４７によって、互いに結合（接続）されている。縁部４２ａや、縁部４２ｃの通信ユニット５１が設けられた部位とは異なる部位等では、部材４４の面４４ａ（外面、表面）と部材４５の面４５ａ（内面、裏面）との間に、両面テープ４７が挟まれている。なお、部材４４と部材４５とは、凹凸構造同士の引っ掛かりや、結合具（例えば、ねじやクリップ等）を用いた結合、結合時に少なくとも一方が少なくとも部分的に弾性変形する引っ掛かり構造（スナップフィット）等によって、互いに結合されてもよい。
【００２９】
そして、本実施形態では、一例として、図４に示されるように、通信ユニット５１は、ドア４Ａの縁部４２ｃ内、すなわち、部材４４と部材４５との間に位置されている。つまり、通信ユニット５１の車室外側には、電磁シールドとはならない非導電性材料で構成された部材４５が位置される。よって、装置６が通信ユニット５１の車室外側に位置された場合に、部材４５によって通信ユニット５１と装置６との間の通信が妨げられるのが、抑制されやすい。
【００３０】
なお、本実施形態では、一例として、図４に示されるように、車体２の部材２Ｄとドア４Ａ，４Ｂとの間には、シール部材２１，４９（ウエザストリップ）が設けられている。また、フレーム４２とウインドウパネル４３との間には、シール部材４８（ウエザストリップ）が設けられている。シール部材２１，４８，４９は、いずれも、例えば、エラストマ等の弾性材料で構成される。
【００３１】
また、本実施形態では、一例として、図５〜７に示されるように、通信ユニット５１は、基板５１ｃを有する。基板５１ｃは、例えば、フレキシブルプリント配線板（ＦＰＣ，flexible printed circuit）あるいはリジッド基板であることができる。基板５１ｃは、部材４５側（車室外側）の面５１ｃ１とその反対側（部材４４側、車室内側）の面５１ｃ２とを有し、四角形状（一例としては長方形状）かつシート状（フィルム状、薄板状）である。アンテナ５１ｂは、基板５１ｃに設けられた導体パターン（導体層）として構成されうる。アンテナ５１ｂは、絶縁体で覆われる。面５１ｃ２には、回路部５１ａ（素子、パッケージ）が実装される。回路部５１ａには、ハーネス５１ｅ（配線）が接続されている。ハーネス５１ｅは、回路部５１ａと制御部５２とを電気的に接続する導線（図示されず）が含まれている。導線は、絶縁性の膜（層、被膜）で覆われている。
【００３２】
また、本実施形態では、一例として、面５１ｃ２上には、磁気シート５１ｄ（磁性部材）が位置されている。磁気シート５１ｄは、アンテナ５１ｂの部材４４側を覆っている。アンテナ５１ｂの車室内側に導電性材料（金属材料）の部材４４や、部材２Ｄ（図４参照）等が位置する場合、アンテナ５１ｂの通信性能が低下する虞がある。導電性の部材４４，２Ｄ等に生じた渦電流によってアンテナ５１ｂの磁束が減殺されるのが、その原因である場合がある。磁気シート５１ｄが設けられた場合には、アンテナ５１ｂからの磁束が磁気シート５１ｄに集束され、渦電流の発生が抑制されるため、上述したようなアンテナ５１ｂの通信性能の低下が抑制されやすい。磁気シート５１ｄは、例えば、フェライト等の磁性体のフィラーを含む合成樹脂材料のシートとして構成することができる。磁気シート５１ｄは、例えば、接着剤等によって基板５１ｃと一体化することができる。
【００３３】
また、本実施形態では、一例として、図５，７に示されるように、基板５１ｃや、回路部５１ａ、磁気シート５１ｄ、ハーネス５１ｅ等（基板５１ｃの面５１ｃ２側）は、防水性の覆部５１ｆで覆われている。覆部５１ｆは、例えば、モールド成形や、塗布された合成樹脂材料や、コーティングされたフィルム等として構成されうる。この覆部５１ｆによって、基板５１ｃや、回路部５１ａ、ハーネス５１ｅ等の導体部分（電気的接続部分）に対する水分による影響（例えば、錆の発生）が低減されやすい。また、覆部５１ｆにより、通信ユニット５１に含まれる部品の保護性が高まりやすい。覆部５１ｆが、柔軟性（弾性）を有する材料で構成された場合には、通信ユニット５１に含まれる部品の保護性がより一層高まりやすい。なお、覆部５１ｆの頂部５１ｆ１は、部材４４の面４４ａに当接している。よって、覆部５１ｆが無かったり、覆部５１ｆが硬い材料であったり、あるいは覆部５１ｆと部材４４との間に隙間があったりした場合に比べて、通信ユニット５１と部材４４とが当接することによる音の発生が抑制されやすい。
【００３４】
また、本実施形態では、一例として、通信ユニット５１は、部材４５に取り付けられている。よって、通信ユニット５１は、部材４５と一体化されたサブアセンブリとして取り扱うことができる。すなわち、車室外側の部材４５（サブアセンブリ）の取り付けおよび取り外しに伴って、比較的容易に通信ユニット５１を車体２に統合したり車体２から分離したりすることができる。また、一例としては、通信ユニット５１の有無を通信ユニット５１を有する部材４５と有さない部材４５との交換によって比較的容易に変更することができる。よって、一例としては、通信ユニット５１の組み立てやメンテナンス等に要する手間やコストが減りやすい。本実施形態では、一例として、通信ユニット５１と部材４５とは、一例としては、両面テープ４６によって、互いに結合（接続）されている。部材４５の面４５ａ（内面、裏面）と基板５１ｃの面５１ｃ１との間に、両面テープ４６が挟まれている。なお、通信ユニット５１と部材４５とは、凹凸構造同士の引っ掛かりや、結合具（例えば、ねじやクリップ等）を用いた結合、結合時に少なくとも一方が少なくとも部分的に弾性変形する引っ掛かり構造（スナップフィット）等によって、互いに結合されてもよい。
【００３５】
また、本実施形態では、一例として、図６，７に示されるように、部材４４と部材４５との間で、通信ユニット５１と縁部４２ｃの車両前後方向（縁部４２ｃの側面視での幅方向）の端部４２ｇ（壁部４２ｆ）との間には、隙間Ｇが設けられている。この隙間Ｇは、縁部４２ｃ内を流れる（伝う）水の通路となりうる。よって、隙間Ｇが無い場合に比べて、水が通信ユニット５１に作用し難くなる。また、本実施形態では、一例として、部材４５には、通信ユニット５１を囲う壁部４５ｂ（突出部）が設けられている。よって、部材４５の面４５ａを伝う水が通信ユニット５１側には到達しにくくなる。なお、本実施形態では一例として、隙間Ｇは、通信ユニット５１の車両前後方向の両側に設けられているが、一方のみであってもよい。
【００３６】
以上、説明したように、本実施形態では、一例として、ドアロックの制御システム５のアンテナ５１ｂを含む通信ユニット５１（受信部）が、ドア４Ａの窓４ｅの縁部４２ｂ（上縁部）と縁部４２ｄ（下縁部）との間に亘る縁部４２ｃ（側縁部）に設けられている。よって、本実施形態によれば、一例としては、操作者（使用者）は車室への出入りの際等に第一のデータを送信する装置６を通信ユニット５１に比較的容易に近付けることができる。
【００３７】
また、本実施形態では、一例として、縁部４２ｃは、部材４４（第一の部材）と、当該部材４４の車室外側を覆い非導電性材料で構成された部材４５（第二の部材）と、を有し、通信ユニット５１は、部材４４と部材４５との間に設けられた。よって、本実施形態によれば、一例としては、通信ユニット５１を縁部４２ｃ内に隠すことができる。また、一例としては、通信ユニット５１の車室外側の部材４５が非導電性材料で構成されているため、通信ユニット５１での通信に支障が来たされ難い。
【００３８】
また、本実施形態では、一例として、通信ユニット５１は、部材４５に取り付けられた。よって、一例としては、車室外側の部材４５の取り付けおよび取り外しに伴って、通信ユニット５１を比較的容易に取り付けたり取り外したりすることができる。また、一例としては、通信ユニット５１の有無を部材４５の交換によって比較的容易に変更することができる。
【００３９】
また、本実施形態では、一例として、通信ユニット５１は、アンテナ５１ｂを含み、部材４４および部材２Ｄは、導電性材料で構成され、アンテナ５１ｂの部材４４および部材２Ｄ側を覆った磁気シート５１ｄ（磁性部材）を備えた。よって、一例としては、部材４４および部材２Ｄによるアンテナ５１ｂの通信性能の低下が抑制されやすい。
【００４０】
＜第１変形例＞
図８に示される本変形例では、通信ユニット５１Ａの構成が上記実施形態と相違している。通信ユニット５１Ａは、上記実施形態の通信ユニット５１と入れ替えて実施することができる。そして、本変形例の通信ユニット５１Ａ以外の構成は、上記実施形態と同様である。よって、本変形例によっても、上記実施形態と同様の構成に基づく同様の作用および結果（効果）が得られる。本変形例にかかる通信ユニット５１Ａは、検波部５６およびアンテナ５６ａを有する。検波部５６で得られた電力は、回路部５１ａの起動（例えば、アンテナ５１ｂからの駆動信号の送信）に利用される。よって、検波部５６は、起動部の一例である。そして、一旦起動された後の通信ユニット５１Ａ等の電力は、バッテリ（図示されず）から供給されるように構成することができる。検波部５６（起動部）を有さない場合、回路部５１ａは、断続的にアンテナ５１ｂから信号（電波）を送信する構成等が必要となる場合があり、その場合には、バッテリの電力消費がより大きくなりやすい。この点、本変形例では、検波部５６で得られた電力を回路部５１ａの起動に利用することができるので、バッテリの電力消費がより小さくなりやすい。検波部５６は、具体的には、例えば、公知の倍電圧検波回路、倍電圧整流回路、ダイオード検波回路、トランスを用いた昇圧回路等として構成することができる。検波部５６やアンテナ５６ａのスペックは、利用する（受信する）信号（電波）や車体２の構成等に応じて適宜に設定される。また、検波部５６は、第一のデータを含む信号とは異なる信号（例えば、携帯電話の制御信号や、携帯電話のノイズ等）をアンテナ５６ａで受信し、当該信号から、電力を得ることができる。よって、本変形例にかかる構成は、装置６が携帯電話である場合には、当該装置６が通信ユニット５１Ａに近付けられた場合に検波部５６で電力が得られる分、より有効である。また、アンテナ５６ａは、例えばアンテナ５１ｂの内側（や外側）で巻回されたアンテナコイルとして設けることができるし、異なる形式のアンテナとして構成してもよい。
【００４１】
＜第２変形例＞
図９，１０に示される本変形例では、通信ユニット５１Ｂの構成が上記実施形態と相違している。通信ユニット５１Ｂは、上記実施形態の通信ユニット５１と入れ替えて実施することができる。そして、本変形例の通信ユニット５１Ｂ以外の構成は、上記実施形態と同様である。よって、本変形例によっても、上記実施形態と同様の構成に基づく同様の作用および結果（効果）が得られる。本変形例にかかる通信ユニット５１Ｂは、圧電素子５７を有する。圧電素子５７で得られた電力は、回路部５１ａの起動（例えば、アンテナ５１ｂからの駆動信号の送信）に利用される。よって、圧電素子５７は、起動部の一例である。一旦起動された後の通信ユニット５１Ｂの電力は、バッテリ（図示されず）から供給されるように構成することができる。圧電素子５７（起動部）を有さない場合、回路部５１ａは、断続的にアンテナ５１ｂから信号（電波）を送信する構成等が必要となる場合があり、その場合には、バッテリの電力消費がより大きくなりやすい。この点、本変形例では、圧電素子５７で得られた電力を回路部５１ａの起動に利用することができるので、バッテリの電力消費がより小さくなりやすい。圧電素子５７は、ボディ５７ａとボディ５７ａに突没可能に支持された操作部５７ｂとを有する。圧電素子５７は、操作部５７ｂの押圧力を電力に変換する。なお、圧電素子５７には、適宜昇圧回路等が設けられうる。
【００４２】
そして、本変形例では、一例として、図１０に示されるように、基板５１ｃに、圧電素子５７を実装することができる。部材４５には、他の箇所より厚さが薄い薄肉部４５ｃ（押圧部、覆部）が設けられている。薄肉部４５ｃは、部材４５の部材４４側（車室内側、裏側）に凹部４５ｄを設けることで、形成することができる。部材４５は、合成樹脂材料等で構成することができる。この場合、薄肉部４５ｃは、可撓性を有し（柔軟で）、弾性的に変位（弾性変形）可能な部位として、構成することができる。本変形例によれば、一例としては、部材４５に開口部を設けずに済み、その場合、当該開口部からの水や塵芥等の浸入が抑制されやすい。また、圧電素子５７を露出させずに設けることができる。なお、押圧位置（薄肉部４５ｃの位置）は、部材４５の外面に適宜印刷やシール等で表示されうる。
【００４３】
以上、本発明の実施形態を例示したが、上記実施形態および変形例はあくまで一例であって、発明の範囲を限定することは意図していない。これら実施形態や変形例は、その他の様々な形態で実施されることが可能であり、発明の要旨を逸脱しない範囲で、種々の省略、置き換え、組み合わせ、変更を行うことができる。また、各実施形態や変形例の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。例えば、受信部（アンテナ、回路部、通信ユニット）は、第二の部材のインサート成形によって当該第二の部材と一体的に構成することが可能である。また、ドアに設けられた通信ユニットがデータ照合制御部（判断部）を有してもよい。
【００４４】
また、上記実施形態にかかる車体側部構造は、一例として、車体側部に設けられた開口部の周縁部に位置された骨格部材と、上記開口部を開閉可能に覆うドアと、上記ドアを閉状態でロックするドアロック装置と、上記ドアに設けられた窓の上縁部と下縁部との間に亘る側縁部に設けられ近距離無線通信により上記ドアロック装置による上記ドアのロック状態を切り替える信号を受信する受信部と、を備えた。よって、一例としては、使用者は車室への出入りの際等に第一のデータを送信する装置を受信部に比較的容易に近付けることができる。
【００４５】
また、上記車体側部構造では、一例として、車体側部には、車両前後方向に沿って二つの上記開口部が設けられ、上記受信部は、上記二つの開口部の境界部分の車室外側に位置された。よって、一例としては、使用者はどちらの開口部（ドア）から車室内に入る場合あるいは車室外に出る場合にあっても、第一のデータを送信する装置を受信部に比較的容易に近付けることができる。
【００４６】
また、上記実施形態にかかる車両用ドア構造は、一例として、ドアパネルと、当該ドアパネルの上側に位置される窓の上縁部と下縁部との間に亘る側縁部と、当該側縁部に設けられ近距離無線通信により信号を受信する受信部と、を備えた。よって、一例としては、使用者は車室への出入りの際等に第一のデータを送信する装置を受信部に比較的容易に近付けることができる。
【００４７】
また、上記実施形態にかかるドア部材は、一例として、車両用ドアの窓の上縁部と下縁部との間に亘る側縁部の、金属材料で構成された部材の車室外側を覆い非導電性材料で構成されたドア部材であって、近距離無線通信により信号を受信する受信部が設けられた。よって、一例としては、車室外側の第二の部材の取り付けおよび取り外しに伴って、受信部を比較的容易に取り付けたり取り外したりすることができる。また、一例としては、車両における受信部の有無をドア部材の交換によって比較的容易に変更することができる。
【符号の説明】
【００４８】
１…車両、２…車体（車体側部構造）、２Ａ〜２Ｅ…部材（骨格部材）、２Ｄ…部材（境界部分）、３Ａ…開口部、３Ｂ…開口部、４Ａ…ドア、４Ｂ…ドア、４２ａ…縁部（側縁部）、４２ｂ…縁部（上縁部）、４２ｃ…縁部（側縁部）、４２ｄ…縁部（下縁部）、４２ｅ…窓、４２ｇ…端部、４４…部材（第一の部材）、４５…部材（第二の部材、ドア部材）５…制御システム（ドアロック制御システム）、５１，５１Ａ，５１Ｂ…通信ユニット（受信部）、５１ａ…回路部、５１ｂ…アンテナ、５１ｄ…磁気シート（磁性部材）、５１ｆ…覆部、５２ｂ…データ照合制御部（判断部）、５６…検波部（起動部）、５７…圧電素子（起動部）。
【図１】
2014062412.tif 000003
【図２】
2014062412.tif 000004
【図３】
2014062412.tif 000005
【図４】
2014062412.tif 000006
【図５】
2014062412.tif 000007
【図６】
2014062412.tif 000008
【図７】
2014062412.tif 000009
【図８】
2014062412.tif 000010
【図９】
2014062412.tif 000011
【図１０】
2014062412.tif 000012